(57)【要約】【課題】従来、レンタルの対象物をレンタルする際の人手の処理が煩雑であった。【解決手段】レンタル対象物を識別するレンタル対象物識別情報を有する予約情報が格納される格納部と、レンタル対象物に設置されている装置であり、予約情報を受信した場合に、予約情報を認証し、予約情報が正当である場合に、設置されているレンタル対象物を使用可能な状態にする装置である認証装置に、格納部に格納されている予約情報を送信する送信部とを備える情報処理装置により、レンタルの対象物をレンタルする際の人手の処理の煩雑さを解消することができる。【選択図】図１
2016170556.tif 000002
【特許請求の範囲】
【請求項１】
レンタルの対象物であるレンタル対象物の予約に関する情報であり、レンタル対象物を識別する情報であるレンタル対象物識別情報を有する情報である予約情報が格納される格納部と、
レンタル対象物に設置されている装置であり、予約情報を受信した場合に、当該予約情報を認証し、当該予約情報が正当である場合に、設置されているレンタル対象物を使用可能な状態にする装置である認証装置に、前記予約情報を送信する送信部とを備える情報処理装置。
【請求項２】
前記予約情報を送信する指示である送信指示を受け付ける受付部と、
前記送信指示の受け付けに応じて、前記格納部から予約情報を取得する取得部とをさらに備え、
前記送信部は、前記取得部が取得した予約情報を送信する請求項１記載の情報処理装置。
【請求項３】
前記予約情報は、レンタル対象物をレンタルする時間帯を示す情報であるレンタル時間帯情報をさらに有する請求項１または請求項２記載の情報処理装置。
【請求項４】
サーバ装置から、予約情報を受信する受信部と、
前記受信部が受信した予約情報を、前記格納部に蓄積する蓄積部とをさらに備える請求項１から請求項３いずれか一項に記載の情報処理装置。
【請求項５】
前記レンタル対象物は、レンタカーまたはカーシェアリング用の自動車またはレンタサイクルである請求項１から請求項４いずれか一項に記載の情報処理装置。
【請求項６】
レンタル対象物識別情報を有する情報である認証情報が格納される認証情報格納部と、
レンタル対象物識別情報を有する情報である予約情報を受信する認証受信部と、
前記認証情報を用いて、前記認証受信部が受信した予約情報を認証する認証部と、
前記認証の結果、前記予約情報が正当である場合にのみ、レンタル対象物を使用可能な状態にする制御部とを備える認証装置。
【請求項７】
前記予約情報は、レンタル対象物をレンタルする時間帯を示す情報であるレンタル時間帯情報をさらに有し、
前記認証部は、
前記予約情報が有するレンタル対象物識別情報が、前記認証情報が有するレンタル対象物識別情報と一致するか否か、および、現在時刻が、前記予約情報が有するレンタル時間帯情報が示す時間帯に含まれるか否かを判断することにより、前記予約情報を認証する請求項６記載の認証装置。
【請求項８】
現在時刻が、前記レンタル時間帯情報が示す時間帯の終了の時刻に、予め決められた条件を満たすほど近づいたか否かを判断する期限判断部と、
前記期限判断部が、前記予め決められた条件を満たすほど近づいたと判断した場合に、注意を喚起するための情報である注意喚起情報を出力する出力部とをさらに備える請求項７記載の認証装置。
【請求項９】
情報処理装置を識別する情報である１または２以上の装置識別情報が格納されるサーバ格納部と、
レンタル対象物識別情報を有する情報である予約情報を受信するサーバ受信部と、
前記サーバ受信部が受信した予約情報を、前記１または２以上の装置識別情報のうち、当該予約情報に対応する装置識別情報により識別される情報処理装置に送信するサーバ送信部とを備えるサーバ装置。
【請求項１０】
レンタルの対象物であるレンタル対象物の予約に関する情報であり、レンタル対象物を識別する情報であるレンタル対象物識別情報を有する情報である予約情報が格納される格納部と、
送信部とを用いて行われる情報処理方法であって、
前記送信部が、
レンタル対象物に設置されている装置であり、予約情報を受信した場合に、当該予約情報を認証し、当該予約情報が正当である場合に、設置されているレンタル対象物を使用可能な状態にする装置である認証装置に、前記予約情報を送信する送信ステップとを備える情報処理方法。
【請求項１１】
レンタル対象物識別情報を有する情報である認証情報が格納される認証情報格納部と、
認証受信部と、認証部と、制御部とを用いて行われる認証方法であって、
前記認証受信部が、
レンタル対象物識別情報を有する情報である予約情報を受信する認証受信ステップと、
前記認証部が、
前記認証情報を用いて、前記認証受信部が受信した予約情報を認証する認証ステップと、
前記制御部が、
前記認証の結果、前記予約情報が正当である場合にのみ、レンタル対象物を使用可能な状態にする制御ステップとを備える認証方法。
【請求項１２】
情報処理装置を識別する情報である１または２以上の装置識別情報が格納されるサーバ格納部と、
サーバ受信部と、サーバ送信部とを用いて行われる情報処理方法であって、
前記サーバ受信部が、
レンタル対象物識別情報を有する情報である予約情報を受信するサーバ受信ステップと、
前記サーバ送信部が、
前記サーバ受信部が受信した予約情報を、前記１または２以上の装置識別情報のうち、当該予約情報に対応する装置識別情報により識別される情報処理装置に送信するサーバ送信ステップとを備える情報処理方法。
【請求項１３】
レンタルの対象物であるレンタル対象物の予約に関する情報であり、レンタル対象物を識別する情報であるレンタル対象物識別情報を有する情報である予約情報が格納される格納部にアクセス可能なコンピュータを、
レンタル対象物に設置されている装置であり、予約情報を受信した場合に、当該予約情報を認証し、当該予約情報が正当である場合に、設置されているレンタル対象物を使用可能な状態にする装置である認証装置に、前記予約情報を送信する送信部として機能させるためのプログラム。
【請求項１４】
レンタル対象物識別情報を有する情報である認証情報が格納される認証情報格納部にアクセス可能なコンピュータを、
レンタル対象物識別情報を有する情報である予約情報を受信する認証受信部、
前記認証情報を用いて、前記認証受信部が受信した予約情報を認証する認証部、
前記認証の結果、前記予約情報が正当である場合にのみ、レンタル対象物を使用可能な状態にする制御部として機能させるためのプログラム。
【請求項１５】
情報処理装置を識別する情報である１または２以上の装置識別情報が格納されるサーバ格納部にアクセス可能なコンピュータを、
レンタル対象物識別情報を有する情報である予約情報を受信するサーバ受信部、
前記サーバ受信部が受信した予約情報を、前記１または２以上の装置識別情報のうち、当該予約情報に対応する装置識別情報により識別される情報処理装置に送信するサーバ送信部として機能させるためのプログラム。
【発明の詳細な説明】
【技術分野】
【０００１】
本発明は、レンタル対象物を使用可能な状態にする情報処理装置等に関するものである。
【背景技術】
【０００２】
従来、自動車を所定の期間、レンタルするサービス（非特許文献１参照）、複数の自動車を、必要なときに必要な期間だけ使用できるサービス（非特許文献２参照）などが存在する。
【先行技術文献】
【非特許文献】
【０００３】
【非特許文献１】“トヨタレンタカー”、［online］、トヨタ自動車株式会社、［２０１５年１月２７日検索］、インターネット［URL；https://rent.toyota.co.jp/］
【非特許文献２】“カーシェアリングのタイムズカープラス”、［online］、タイムズ２４株式会社、［２０１５年１月２７日検索］、インターネット［URL；http://plus.timescar.jp/］
【発明の概要】
【発明が解決しようとする課題】
【０００４】
従来、レンタルの対象物をレンタルする際の人手の処理が煩雑であった。
【課題を解決するための手段】
【０００５】
本第一の発明の情報処理装置は、レンタルの対象物であるレンタル対象物の予約に関する情報であり、レンタル対象物を識別する情報であるレンタル対象物識別情報を有する情報である予約情報が格納される格納部と、レンタル対象物に設置されている装置であり、予約情報を受信した場合に、予約情報を認証し、予約情報が正当である場合に、設置されているレンタル対象物を使用可能な状態にする装置である認証装置に、予約情報を送信する送信部とを備える情報処理装置である。
【０００６】
このような構成により、レンタルの対象物をレンタルする際の人手の処理の煩雑さを解消することができる。
【０００７】
また、本第二の発明の情報処理装置は、第一の発明に対して、予約情報を送信する指示である送信指示を受け付ける受付部と、送信指示の受け付けに応じて、格納部から予約情報を取得する取得部とをさらに備え、送信部は、取得部が取得した予約情報を送信する情報処理装置である。
【０００８】
このような構成により、レンタルの対象物をレンタルする際の人手の処理の煩雑さを解消することができる。
【０００９】
また、本第三の発明の情報処理装置は、第一または第二の発明に対して、予約情報は、レンタル対象物をレンタルする時間帯を示す情報であるレンタル時間帯情報をさらに有する情報処理装置である。
【００１０】
このような構成により、レンタルの対象物をレンタルする際の人手の処理の煩雑さを解消することができる。
【００１１】
また、本第四の発明の情報処理装置は、第一から第三いずれか１つの発明に対して、サーバ装置から、予約情報を受信する受信部と、受信部が受信した予約情報を、格納部に蓄積する蓄積部とをさらに備える情報処理装置である。
【００１２】
このような構成により、レンタルの対象物をレンタルする際の人手の処理の煩雑さを解消することができる。
【００１３】
また、本第五の発明の情報処理装置は、第一から第四いずれか１つの発明に対して、レンタル対象物は、レンタカーまたはカーシェアリング用の自動車またはレンタサイクルである情報処理装置である。
【００１４】
このような構成により、レンタカーまたはカーシェアリング用の自動車またはレンタサイクルをレンタルする際の人手の処理の煩雑さを解消することができる。
【００１５】
また、本第六の発明の認証装置は、レンタル対象物識別情報を有する情報である認証情報が格納される認証情報格納部と、レンタル対象物識別情報を有する情報である予約情報を受信する認証受信部と、認証情報を用いて、認証受信部が受信した予約情報を認証する認証部と、認証の結果、予約情報が正当である場合にのみ、レンタル対象物を使用可能な状態にする制御部とを備える認証装置である。
【００１６】
このような構成により、受信した予約情報が正当である場合にのみ、レンタル対象物を使用可能な状態にすることができる。
【００１７】
また、本第七の発明の認証装置は、第六の発明に対して、予約情報は、レンタル対象物をレンタルする時間帯を示す情報であるレンタル時間帯情報をさらに有し、認証部は、予約情報が有するレンタル対象物識別情報が、認証情報が有するレンタル対象物識別情報と一致するか否か、および、現在時刻が、予約情報が有するレンタル時間帯情報が示す時間帯に含まれるか否かを判断することにより、予約情報を認証する認証装置である。
【００１８】
このような構成により、受信した予約情報が正当である場合にのみ、レンタル対象物を使用可能な状態にすることができる。
【００１９】
また、本第八の発明の認証装置は、第七の発明に対して、現在時刻が、レンタル時間帯情報が示す時間帯の終了の時刻に、予め決められた条件を満たすほど近づいたか否かを判断する期限判断部と、期限判断部が、予め決められた条件を満たすほど近づいたと判断した場合に、注意を喚起するための情報である注意喚起情報を出力する出力部とをさらに備える認証装置である。
【００２０】
このような構成により、レンタルの期限が迫っていることをユーザに通知することができる。
【００２１】
また、本第九の発明のサーバ装置は、情報処理装置を識別する情報である１または２以上の装置識別情報が格納されるサーバ格納部と、レンタル対象物識別情報を有する情報である予約情報を受信するサーバ受信部と、サーバ受信部が受信した予約情報を、１または２以上の装置識別情報のうち、予約情報に対応する装置識別情報により識別される情報処理装置に送信するサーバ送信部とを備えるサーバ装置である。
【００２２】
このような構成により、受信した予約情報を、当該予約情報に対応する情報処理装置に送信することができる。
【発明の効果】
【００２３】
本発明による情報処理装置等によれば、レンタルの対象物をレンタルする際の人手の処理の煩雑さを解消することができる。
【図面の簡単な説明】
【００２４】
【図１】実施の形態１における情報システム１の概念図
【図２】同情報処理装置１１、認証装置１２、サーバ装置１３のブロック図
【図３】同情報処理装置１１の全体動作について説明するフローチャート
【図４】同認証装置１２の全体動作について説明するフローチャート
【図５】同サーバ装置１３の全体動作について説明するフローチャート
【図６】同ユーザ管理情報を示す図
【図７】同レンタカー管理情報の例を示す図
【図８】同送信指示を受け付ける画面の例を示す図
【図９】同情報処理装置２１、認証装置２２のブロック図
【図１０】同コンピュータシステムの概観図
【図１１】同コンピュータシステムのブロック図
【発明を実施するための形態】
【００２５】
以下、本発明による情報処理装置等の実施の形態について図面を参照して説明する。なお、実施の形態において同じ符号を付した構成要素は同様の動作を行うので、再度の説明を省略する場合がある。また、本実施の形態において説明する各情報の形式、内容などは、あくまで例示であり、各情報の持つ意味を示すことができれば、形式、内容などは問わない。
【００２６】
（実施の形態１）
本実施の形態において、情報処理装置１１と、１または２以上の認証装置１２と、サーバ装置１３とを備える情報システム１について説明する。情報処理装置１１は、予め保持している予約情報を、認証装置１２に送信する。予約情報の詳細については、後述する。また、当該予約情報は、通常、外部の装置から受信したものである。当該外部の装置は、例えば、サーバ装置１３である。また、認証装置１２は、受信した予約情報を認証する。そして、認証装置１２は、受信した予約情報が正当である場合に、設置されているレンタル対象物を使用可能な状態にする。また、サーバ装置１３は、予約情報を受信する。当該予約情報は、通常、外部の装置において入力され、当該外部の装置から送信されたものである。当該外部の装置は、例えば、図示しない端末装置である。そして、サーバ装置１３は、受信した予約情報を、情報処理装置１１に送信する。
【００２７】
図１は、本実施の形態における情報システム１の概念図である。図１において、情報処理装置１１と、認証装置１２とは、通信手段１４を介して通信が可能である。また、情報処理装置１１と、サーバ装置１３とは、通信手段１５を介して通信が可能である。情報処理装置１１は、例えば、スマートフォン、携帯電話、ＰＤＡ、タブレット型ＰＣ、ノートＰＣなどの携帯端末である。また、認証装置１２は、レンタル対象物に設置されている。レンタル対象物とは、レンタルの対象となる物である。当該「レンタル」は、通常、一時的な貸与である。また、レンタル対象物の種類などは、問わない。レンタル対象物は、例えば、移動体（いわゆる乗物）、家電機器、ＡＶ機器、ゲーム機などである。また、移動体は、例えば、自動車、バイク、自転車などである。また、レンタル対象物は、例えば、移動体であることが好適である。また、レンタル対象物は、例えば、レンタカー、または、カーシェアリング用の自動車、または、レンタサイクルであることが好適である。また、レンタル対象物は、例えば、運動器具であってもよい。運動器具とは、例えば、電動アシスト自転車、エアロバイク、ウォーキングマシーン、ランニングマシーンなどである。また、運動器具は、例えば、いわゆるトレーニングマシーン、ダイエット器具などを含んでもよい。また、認証装置１２は、例えば、レンタル対象物に設置されているナビゲーション装置、コンピュータなどである。また、サーバ装置１３は、例えば、レンタル対象物を予約するサイトを運用するサーバである。また、通信手段１４は、通常、近距離（短距離）の無線通信手段である。通信手段１４は、例えば、Ｗｉ−Ｆｉ（登録商標）、Ｂｌｕｅｔｏｏｔｈ（登録商標）、ＮＦＣ、ＺｉｇＢｅｅ（登録商標）などである。また、通信手段１５は、無線または有線の通信回線である。通信手段１５は、例えば、インターネット、イントラネット、ＬＡＮ、公衆電話回線網などである。
【００２８】
また、図２は、本実施の形態における情報処理装置１１、認証装置１２、サーバ装置１３のブロック図である。情報処理装置１１は、格納部１１１、受信部１１２、蓄積部１１３、受付部１１４、取得部１１５、送信部１１６を備える。また、認証装置１２は、認証情報格納部１２１、認証受信部１２２、認証部１２３、制御部１２４を備える。また、サーバ装置１３は、サーバ格納部１３１、サーバ受信部１３２、サーバ送信部１３３を備える。
【００２９】
情報処理装置１１が備える格納部１１１には、予約情報が格納される。予約情報とは、レンタル対象物の予約に関する情報である。また、予約情報は、レンタル対象物識別情報を有する情報である。レンタル対象物識別情報とは、レンタル対象物を識別する情報である。レンタル対象物識別情報は、通常、レンタル対象物に対して付与されたＩＤである。レンタル対象物に対して付与されたＩＤとは、例えば、自動車登録番号、車両番号、車台番号、製造番号、個体識別番号などである。また、レンタル対象物識別情報は、例えば、認証装置識別情報であってもよい。また、レンタル対象物識別情報は、例えば、変化するものや一時的なものであってもよい。この場合、レンタル対象物識別情報は、例えば、いわゆるワンタイムパスワードのようなものである。認証装置識別情報とは、認証装置１２を識別する情報である。また、認証装置識別情報は、例えば、ＩＰアドレス、ＭＡＣアドレス、個体識別番号などである。
【００３０】
また、予約情報は、例えば、レンタル時間帯情報を有していてもよい。レンタル時間帯情報とは、レンタル対象物をレンタルする時間帯を示す情報である。レンタル時間帯情報は、例えば、時間帯の開始の時刻を示す情報（以下、適宜、開始時刻情報とする）と、時間帯の終了の時刻を示す情報（以下、適宜、終了時刻情報とする）とを有する情報である。開始時刻情報は、例えば、レンタルを開始する時刻を示す情報であるとも言える。また、開始時刻情報は、例えば、時間帯の始期を示す情報であるとも言える。また、終了時刻情報は、例えば、レンタルを終了する時刻を示す情報であるとも言える。また、終了時刻情報は、例えば、時間帯の終期を示す情報であるとも言える。また、レンタル時間帯情報は、例えば、開始時刻情報と、レンタルする時間を示す情報（以下、適宜、レンタル時間情報とする）とを有する情報であってもよい。レンタル時間情報は、例えば、開始時刻情報が示す時刻からの時間を示す情報であるとも言える。
【００３１】
以上より、予約情報が、レンタル対象物識別情報を有する場合、当該予約情報は、レンタル対象物識別情報により識別されるレンタル対象物をレンタルすることが予約されていることを示す情報であると言える。また、予約情報が、レンタル対象物識別情報と、レンタル時間帯情報とを有する場合、当該予約情報は、レンタル対象物識別情報により識別されるレンタル対象物を、レンタル時間帯情報が示す時間帯にレンタルすることが予約されていることを示す情報であると言える。
【００３２】
また、レンタル時間帯情報は、例えば、日付を示す情報（以下、適宜、日付情報とする）を有していてもよい。日付とは、いわゆる年月日である。また、レンタル時間帯情報は、例えば、日付情報であってもよい。
【００３３】
また、予約情報は、例えば、ユーザ識別情報を有していてもよい。ユーザ識別情報とは、ユーザを識別する情報である。ユーザ識別情報は、例えば、いわゆるユーザ名、いわゆるＩＤ、ＩＰアドレス、ＭＡＣアドレス、個体識別番号などである。
【００３４】
なお、格納部１１１に予約情報が蓄積される過程は、問わない。格納部１１１には、例えば、ユーザにより入力された予約情報が蓄積される。また、格納部１１１には、例えば、サーバ装置１３から受信した予約情報が蓄積される。当該受信は、通常、後述の受信部１１２が行う。また、当該蓄積は、通常、後述の蓄積部１１３が行う。
【００３５】
受信部１１２は、サーバ装置１３から、予約情報を受信する。
【００３６】
蓄積部１１３は、受信部１１２が受信した予約情報を、格納部１１１に蓄積する。
【００３７】
受付部１１４は、予約情報を送信する指示である送信指示を受け付ける。受け付けとは、タッチパネル、キーボードなどの入力デバイスから入力された情報の取得、光ディスクや磁気ディスク、半導体メモリなどの記録媒体に格納されている情報の読み出し、有線もしくは無線の通信回線を介して送信された情報の受信などを含む概念である。
【００３８】
また、受付部１１４における情報や指示などの入力手段は、メニュー画面によるもの、キーボードなど、何でもよい。受付部１１４は、メニュー画面の制御ソフトウェア、キーボード等の入力手段のデバイスドライバなどで実現され得る。
【００３９】
取得部１１５は、格納部１１１から予約情報を取得する。取得部１１５は、通常、受付部１１４による送信指示の受け付けに応じて、予約情報を取得する。また、取得部１１５は、例えば、認証装置１２との通信が確立された場合に、予約情報を取得してもよい。当該、通信が確立されたか否かの判断は、例えば、取得部１１５が行う。また、一の装置（ここでは、情報処理装置１１）において、他の装置（ここでは、認証装置１２）との通信が確立されたか否かを判断する方法や手順などは、公知であるので、詳細な説明を省略する。
【００４０】
また、取得部１１５は、例えば、認証装置１２との通信が確立された後に、受付部１１４が送信指示を受け付けた場合に、予約情報を取得してもよい。この場合、取得部１１５は、例えば、認証装置１２との通信が確立された場合に、予約情報を送信するか否か（予約情報を取得するか否か）を選択するためのユーザ・インターフェースを出力する。当該ユーザ・インターフェースは、例えば、取得部１１５が予め保持している。そして、受付部１１４は、当該ユーザ・インターフェースを介して、ユーザから、送信指示または不送信指示を受け付ける。不送信指示とは、予約情報を送信しない支持である。そして、例えば、受付部１１４が送信指示を受け付けた場合、取得部１１５は、予約情報を取得する。また、例えば、受付部１１４が不送信指示を受け付けた場合、取得部１１５は、予約情報を取得しない。
【００４１】
送信部１１６は、予約情報を、認証装置１２に送信する。当該予約情報は、例えば、格納部１１１に格納されている予約情報である。また、当該予約情報は、例えば、取得部１１５が取得した予約情報であってもよい。つまり、送信部１１６は、例えば、情報処理装置１１と認証装置１２との通信が確立された場合に、格納部１１１に格納されている予約情報を取得し、当該予約情報を、当該認証装置１２に送信してもよい。また、送信部１１６は、例えば、受付部１１４が送信指示を受け付けた結果、取得部１１５が予約情報を取得した場合に、当該予約情報を認証装置１２に送信してもよい。
【００４２】
認証装置１２が備える認証情報格納部１２１には、認証情報が格納される。認証情報とは、予約情報を認証するために用いられる情報である。認証するとは、正しいか否か（正当か不正か）を判断することである。また、当該予約情報は、情報処理装置１１から受信した予約情報である。当該受信は、後述の認証受信部１２２が行う。
【００４３】
認証情報は、例えば、レンタル対象物識別情報を有する。この場合、認証情報は、例えば、受信した予約情報が示す予約の内容（レンタル対象物）が、認証装置１２が設置されているレンタル対象物に対して予約されている内容（レンタル対象物）と一致するか否かを判断するための情報である。
【００４４】
また、認証情報は、例えば、レンタル対象物識別情報とレンタル時間帯情報とを有する。この場合、認証情報は、例えば、受信した予約情報が示す予約の内容（レンタル対象物およびレンタルする時間帯）が、認証装置１２が設置されているレンタル対象物に対して予約されている内容（レンタル対象物およびレンタルする時間帯）と一致するか否かを判断するための情報である。
【００４５】
また、認証情報は、例えば、レンタル対象物識別情報とレンタル時間帯情報とユーザ識別情報とを有する。この場合、認証情報は、例えば、受信した予約情報が示す予約の内容（レンタル対象物およびレンタルする時間帯およびレンタルするユーザ）が、認証装置１２が設置されているレンタル対象物に対して予約されている内容（レンタル対象物およびレンタルする時間帯およびレンタルするユーザ）と一致するか否かを判断するための情報である。
【００４６】
なお、認証情報格納部１２１に認証情報が蓄積される過程は、問わない。認証情報格納部１２１には、例えば、ユーザにより入力された認証情報が蓄積される。当該ユーザは、レンタル対象物の提供者である。また、認証情報格納部１２１には、例えば、サーバ装置１３から受信した認証情報が蓄積される。当該受信は、通常、後述の認証受信部１２２が行う。また、当該蓄積は、例えば、図示しない認証蓄積部が行う。
【００４７】
また、認証情報格納部１２１には、通常、一の認証情報が格納される。この場合、当該一の認証情報は、認証装置１２が設置されているレンタル対象物に対する最新の一の予約に関する予約情報を認証するための情報である。
【００４８】
また、認証情報格納部１２１には、例えば、２以上の認証情報が格納されてもよい。この場合、当該２以上の認証情報は、認証装置１２が設置されているレンタル対象物に対する２以上の各予約に関する予約情報を認証するための情報である。
【００４９】
認証受信部１２２は、情報処理装置１１から、予約情報を受信する。また、認証受信部１２２は、例えば、サーバ装置１３から、認証情報を受信してもよい。
【００５０】
認証部１２３は、認証情報を用いて、予約情報を認証する。当該認証情報は、認証情報格納部１２１に格納されている認証情報である。また、当該予約情報は、認証受信部１２２が受信した予約情報である。
【００５１】
認証部１２３は、通常、（１）予約情報が認証情報と一致すると判断した場合に、当該予約情報が正当であると判断する。
【００５２】
また、認証部１２３は、例えば、（１）予約情報が認証情報と一致する、および、（２）現在時刻が、予約情報により示される期間に含まれる、と判断した場合に、予約情報が正当であると判断する。予約情報により示される期間とは、例えば、予約情報が有するレンタル時間帯情報が示す時間帯、予約情報が有するレンタル時間帯情報が示す日付、当該日付に対応する時間帯（例えば、０時〜２４時）などである。また、レンタル時間帯情報が示す時間帯とは、レンタル時間帯情報が有する開始時刻情報および終了時刻情報のそれぞれが示す時刻により示される時間帯である。また、レンタル時間帯情報が示す日付とは、レンタル時間帯情報が有する日付情報が示す日付である。
【００５３】
また、認証部１２３は、例えば、（１）予約情報が認証情報と一致する、および、（３）現在時刻が、予約情報により示されるレンタルの開始時刻以前の時刻と、当該開始時刻とにより示される時間帯に含まれると判断した場合に、予約情報が正当であると判断する。予約情報により示されるレンタルの開始時刻とは、例えば、予約情報が有するレンタル時間帯情報が示す時間帯の開始時刻、予約情報が有するレンタル時間帯情報が示す日付に対応する時間帯の開始時刻（例えば、０時）などである。また、レンタル時間帯情報が示す時間帯の開始時刻とは、レンタル時間帯情報が有する開始時刻情報が示す時刻である。また、開始時刻以前の時刻とは、開始時刻から予め決められた時間を減算することにより得られる時刻である。言い換えると、開始時刻以前の時刻とは、当該開始時刻以前の時刻から、当該開始時刻までの時間が、予め決められた時間となる時間である。
【００５４】
また、以下、上記（１）、（２）、（３）について、順に説明する。
【００５５】
（１）認証部１２３は、予約情報が、認証情報と一致するか否かを判断する。
【００５６】
（１−１）例えば、認証情報がレンタル対象物識別情報を有する場合、認証部１２３は、予約情報が有するレンタル対象物識別情報が、認証情報が有するレンタル対象物識別情報と一致するか否かを判断する。そして、当該レンタル対象物識別情報同士が一致する場合、認証部１２３は、予約情報が認証情報と一致すると判断する。
【００５７】
（１−２）例えば、認証情報がレンタル対象物識別情報とレンタル時間帯情報とを有する場合、認証部１２３は、予約情報が有するレンタル対象物識別情報、予約情報が有するレンタル時間帯情報のそれぞれが、認証情報が有するレンタル対象物識別情報、認証情報が有するレンタル時間帯情報のそれぞれと一致するか否かを判断する。そして、当該レンタル対象物識別情報同士、および、当該レンタル時間帯情報同士が一致する場合、認証部１２３は、予約情報が認証情報と一致すると判断する。
【００５８】
（１−３）例えば、認証情報がレンタル対象物識別情報とレンタル時間帯情報とユーザ識別情報とを有する場合、認証部１２３は、予約情報が有するレンタル対象物識別情報、予約情報が有するレンタル時間帯情報、予約情報が有するユーザ識別情報のそれぞれが、認証情報が有するレンタル対象物識別情報、認証情報が有するレンタル時間帯情報、認証情報が有するユーザ識別情報のそれぞれと一致するか否かを判断する。そして、当該レンタル対象物識別情報同士、および、当該レンタル時間帯情報同士、および、当該ユーザ識別情報同士が一致する場合、認証部１２３は、予約情報が認証情報と一致すると判断する。
【００５９】
（２）認証部１２３は、現在時刻が、予約情報により示される期間に含まれるか否かを判断する。なお、以下において、レンタル時間帯情報は、予約情報が有するレンタル時間帯情報である。
【００６０】
（２−１）例えば、レンタル時間帯情報が、開始時刻情報と終了時刻情報とを有する場合、認証部１２３は、まず、現在時刻を示す情報である現在時刻情報を取得する。現在時刻情報を取得する方法や手順などは、公知であるので、詳細な説明を省略する。そして、認証部１２３は、取得した現在時刻情報が示す現在時刻が、当該開始時刻情報が示す時刻である開始時刻以降、かつ、当該終了時刻情報が示す時刻である終了時刻以前であるか否かを判断する。そして、現在時刻が、当該開始時刻以降かつ当該終了時刻以前である場合、認証部１２３は、現在時刻が、予約情報により示される期間に含まれると判断する。
【００６１】
（２−２）例えば、レンタル時間帯情報が、開始時刻情報とレンタル時間情報とを有する場合、認証部１２３は、まず、上記（２−１）と同様に、現在時刻情報を取得する。そして、認証部１２３は、取得した現在時刻情報が示す現在時刻が、当該開始時刻情報が示す時刻である開始時刻以降、かつ、当該開始時刻情報が示す時刻に当該レンタル時間情報が示す時間を加算することにより得られる時刻である終了時刻以前であるか否かを判断する。そして、現在時刻が、当該開始時刻以降かつ当該終了時刻以前である場合、認証部１２３は、現在時刻が、予約情報により示される期間に含まれると判断する。
【００６２】
（２−３）例えば、レンタル時間帯情報が、開始時刻情報などに加え、日付情報も有する場合、認証部１２３は、まず、現在の日時を示す情報である現在日時情報を取得する。現在日時情報は、現在の日付（年月日）を示す現在日付情報と、現在の時刻を示す現在時刻情報とを有する。現在日時情報を取得する方法や手順などは、公知であるので、詳細な説明を省略する。そして、認証部１２３は、現在日付情報が示す日付である現在日付が、レンタル時間帯情報が有する日付情報が示す日付である予約日付と一致するか否かを判断する。また、認証部１２３は、上記（２−１）、（２−２）と同様に、レンタル時間帯情報が有する開始時刻情報などを用いて、現在時刻情報が示す現在時刻が、開始時刻以降かつ終了時刻以前であるか否かを判断する。そして、現在日付が予約日付と一致する、かつ、現在時刻が、開始時刻以降かつ終了時刻以前である場合、認証部１２３は、現在時刻が、予約情報により示される期間に含まれると判断する。
【００６３】
（２−４）例えば、レンタル時間帯情報が、日付情報である場合、認証部１２３は、まず、現在の日付を示す情報である現在日付情報を取得する。現在日付情報を取得する方法や手順などは、公知であるので、詳細な説明を省略する。そして、認証部１２３は、取得した現在日付情報が示す日付である現在日付情報が、レンタル時間帯情報である日付情報が示す日付である予約日付と一致するか否かを判断する。そして、現在日付が予約日付と一致する場合、認証部１２３は、現在時刻が、予約情報により示される期間に含まれると判断する。
【００６４】
（３）認証部１２３は、現在時刻が、予約情報により示される開始時刻以前の時刻と、当該開始時刻とにより示される時間帯に含まれるか否かを判断する。なお、以下において、レンタル時間帯情報は、予約情報が有するレンタル時間帯情報である。
【００６５】
（３−１）例えば、レンタル時間帯情報が、開始時刻情報を有する場合、認証部１２３は、まず、上記（２−１）と同様に、現在時刻情報を取得する。そして、認証部１２３は、例えば、開始時刻情報が示す時刻である開始時刻から、準備時間情報が示す時間を減算し、当該減算により得られる時刻である準備開始時刻を算出する。準備開始時間情報の詳細については、後述する。そして、認証部１２３は、現在時刻情報が示す現在時刻が、当該準備開始時刻以降かつ当該開始時刻以前であるか否かを判断する。そして、現在時刻が、当該準備開始時刻以降かつ当該開始時刻以前である場合、認証部１２３は、現在時刻が、予約情報により示される開始時刻以前の時刻と、当該開始時刻とにより示される時間帯に含まれると判断する。
【００６６】
なお、上記準備時間情報とは、時間を示す情報である。また、準備時間情報は、例えば、レンタル対象物の使用を開始するための準備に必要な時間を示す情報であるとも言える。また、準備時間情報は、例えば、認証部１２３が予め保持している。また、準備時間情報は、例えば、予め決められた記憶領域に格納されていてもよい。また、当該予め決められた記憶領域は、例えば、認証情報格納部１２１であってもよい。また、準備時間情報が示す時間は、例えば、分単位であることが好適である。また、準備時間情報が示す時間は、例えば、予め決められた条件を満たすほど短いことが好適である。つまり、当該時間は、例えば、５分、１０分、１５分などが好適である。
【００６７】
（３−２）例えば、レンタル時間帯情報が、開始時刻情報に加え、日付情報も有する場合、認証部１２３は、まず、現在の日時を示す情報である現在日時情報を取得する。現在日時情報は、現在の日付（年月日）を示す現在日付情報と、現在の時刻を示す現在時刻情報とを有する。現在日時情報を取得する方法や手順などは、公知であるので、詳細な説明を省略する。そして、認証部１２３は、現在日付情報が示す日付である現在日付が、レンタル時間帯情報が有する日付情報が示す日付である予約日付と一致するか否かを判断する。また、認証部１２３は、上記（３−１）と同様に、レンタル時間帯情報が有する開始時刻情報などを用いて、現在時刻情報が示す現在時刻が、準備開始時刻以降かつ開始時刻以前であるか否かを判断する。そして、現在日付が予約日付と一致する、かつ、現在時刻が、準備開始時刻以降かつ開始時刻以前である場合、認証部１２３は、現在時刻が、予約情報により示される開始時刻以前の時刻と、当該開始時刻とにより示される時間帯に含まれると判断する。
【００６８】
（３−３）例えば、レンタル時間帯情報が、日付情報である場合、認証部１２３は、まず、上記（３−２）と同様に、現在日時情報を取得する。そして、認証部１２３は、例えば、現在日付情報が示す日付である現在日付が、レンタル時間帯情報である日付情報が示す日付の１日前の日付である前日日付と一致するか否かを判断する。また、認証部１２３は、例えば、現在時刻情報が示す現在時刻が、準備時間帯情報が示す時間帯である準備時間帯に含まれるか否かを判断する。準備時間帯情報の詳細については、後述する。そして、現在日付が前日日付と一致する、かつ、現在時刻が準備時間帯に含まれる場合、認証部１２３は、現在時刻が、予約情報により示される開始時刻以前の時刻と、当該開始時刻とにより示される時間帯に含まれると判断する。
【００６９】
なお、上記準備時間帯情報とは、時間帯を示す情報である。また、準備時間帯情報は、例えば、レンタル対象物の使用を開始するための準備を行う時間帯を示す情報であるとも言える。また、準備時間帯情報は、例えば、認証部１２３が予め保持している。また、準備時間帯情報は、例えば、予め決められた記憶領域に格納されていてもよい。また、当該予め決められた記憶領域は、例えば、認証情報格納部１２１であってもよい。また、準備時間帯情報は、時間帯の開始の時刻を示す情報と、時間帯の終了の時刻を示す情報とを有する。また、準備時間帯情報により示される時間は、予め決められた条件を満たすほど短い時間であることが好適である。当該時間は、例えば、５分、１０分、１５分などが好適である。また、時間帯の終了の時刻は、通常、日付の境界となる時刻（例えば、０時または２４時）である。つまり、準備時間帯情報は、例えば、「２３時４５分〜２４時００分」、「２３時５０分〜２４時００分」などである。
【００７０】
また、認証部１２３は、上記（１）、（２）、（３）における各判断の結果を示す情報を取得してもよい。当該情報は、いわゆるフラグである。
【００７１】
制御部１２４は、予約情報が正当である場合にのみ、レンタル対象物を使用可能な状態にする。当該「予約情報が正当である場合」とは、認証部１２３が、予約情報が正当であると判断した場合である。また、当該「レンタル対象物を使用可能な状態にする」とは、例えば、いわゆるロックを解除することである。つまり、例えば、レンタル対象物が自動車である場合、制御部１２４は、例えば、ドアのロック、ハンドルのロック、イグニッションスイッチのロックなどを解除する。また、例えば、レンタル対象物がバイクである場合、制御部１２４は、例えば、ハンドルのロック、タイヤのロックなどを解除する。また、例えば、レンタル対象物が自転車である場合、制御部１２４は、例えば、タイヤのロックを解除する。また、「レンタル対象物を使用可能な状態にする」とは、例えば、原動機、電源などをＯＮにすることである。原動機とは、例えば、エンジン、モーターなどである。つまり、例えば、レンタル対象物が自動車である場合、制御部１２４は、例えば、自動車のエンジンまたはモーターをＯＮにする。また、例えば、レンタル対象物がバイクである場合、制御部１２４は、例えば、バイクのエンジンをＯＮにする。また、例えば、レンタル対象物が電動アシスト自転車である場合、制御部１２４は、例えば、当該自転車の電動アシスト機能の電源をＯＮにする。
【００７２】
サーバ格納部１３１には、１または２以上の装置識別情報が格納される。装置識別情報とは、情報処理装置１１を識別する情報である。また、装置識別情報は、例えば、ＩＰアドレス、ＭＡＣアドレス、電話番号、個体識別番号などである。
【００７３】
サーバ受信部１３２は、外部の装置から、予約情報を受信する。当該外部の装置は、通常、認証装置１２およびサーバ装置１３以外の装置である。当該外部の装置は、例えば、情報処理装置１１である。この場合、サーバ受信部１３２は、例えば、情報処理装置１１を介してユーザが入力した予約情報を受信する。また、当該外部の装置は、例えば、レンタル対象物をレンタルする店舗に設置されている端末装置（例えば、デスクトップＰＣ、ノートＰＣなど）である。この場合、サーバ受信部１３２は、例えば、当該端末装置を介して、当該店舗の従業員が入力した予約情報を受信する。
【００７４】
サーバ送信部１３３は、サーバ受信部１３２が受信した予約情報を、装置識別情報により識別される情報処理装置１１に送信する。当該装置識別情報は、サーバ格納部１３１に格納されている装置識別情報である。
【００７５】
また、サーバ送信部１３３は、例えば、サーバ受信部１３２が受信した予約情報を、認証情報として、認証装置１２に送信してもよい。この場合、サーバ送信部１３３は、例えば、レンタル対象物識別情報と、認証装置識別情報との対応表を予め保持している。当該対応表において、一のレンタル対象物識別情報に対応付いている認証装置識別情報は、当該レンタル対象物識別情報により識別されるレンタル対象物に設置されている認証装置１２を識別する情報である。そして、サーバ送信部１３３は、サーバ受信部１３２が受信した予約情報が有するレンタル対象物識別情報に対応する認証装置識別情報を、上記対応表から取得する。そして、サーバ送信部１３３は、当該取得した認証装置識別情報により識別される認証装置１２に、サーバ受信部１３２が受信した予約情報を、認証情報として送信する。また、このとき、サーバ送信部１３３は、予約情報が有する情報のうち、少なくともレンタル対象物識別情報を含む１以上の情報を、認証情報として送信してもよい。
【００７６】
なお、格納部１１１、認証情報格納部１２１、サーバ格納部１３１は、不揮発性の記録媒体が好適であるが、揮発性の記録媒体でも実現可能である。また、格納部１１１などに所定の情報が記憶される過程は、問わない。例えば、当該所定の情報は、記録媒体や、通信回線、入力デバイスなどを介して格納部１１１などに記憶されてもよい。
【００７７】
また、受信部１１２、認証受信部１２２、サーバ受信部１３２は、通常、無線または有線の通信手段で実現されるが、放送を受信する手段で実現されてもよい。
【００７８】
また、蓄積部１１３、取得部１１５、認証部１２３、制御部１２４は、通常、ＭＰＵやメモリ等から実現され得る。また、蓄積部１１３などの処理手順は、通常、ソフトウェアで実現され、当該ソフトウェアはＲＯＭ等の記録媒体に記録されている。なお、蓄積部１１３などは、ハードウェア（専用回路）で実現されてもよい。
【００７９】
また、送信部１１６、サーバ送信部１３３は、通常、無線または有線の通信手段で実現されるが、放送手段で実現されてもよい。
【００８０】
次に、情報システム１の全体動作について、フローチャートを用いて説明する。まず、情報処理装置１１の全体動作について、図３のフローチャートを用いて説明する。
【００８１】
（ステップＳ３０１）情報処理装置１１は、受付部１１４が電源ＯＮの指示を受け付けたか否かを判断する。受け付けた場合は、ステップＳ３０２に進み、そうでない場合は、ステップＳ３０１に戻る。
【００８２】
（ステップＳ３０２）情報処理装置１１は、電源ＯＮの処理を行う。
【００８３】
（ステップＳ３０３）蓄積部１１３は、受付部１１４が予約情報を受け付けたか否かを判断する。当該受け付けは、例えば、ユーザが入力した予約情報の受け付けである。そして、受け付けた場合は、ステップＳ３０４に進み、そうでない場合は、ステップＳ３０５に進む。
【００８４】
（ステップＳ３０４）蓄積部１１３は、ステップＳ３０３で受け付けた予約情報を、格納部１１１に蓄積する。
【００８５】
（ステップＳ３０５）蓄積部１１３は、受信部１１２が、サーバ装置１３から予約情報を受信したか否かを判断する。受信した場合は、ステップＳ３０６に進み、そうでない場合は、ステップＳ３０７に進む。
【００８６】
（ステップＳ３０６）蓄積部１１３は、ステップＳ３０３で受信した予約情報を、格納部１１１に蓄積する。
【００８７】
（ステップＳ３０７）取得部１１５は、受付部１１４が送信指示を受け付けたか否かを判断する。受け付けた場合は、ステップＳ３０８に進み、そうでない場合は、ステップＳ３１１に進む。
【００８８】
（ステップＳ３０８）取得部１１５は、格納部１１１に予約情報が格納されているか否かを判断する。格納されている場合は、ステップＳ３０９に進み、そうでない場合は、ステップＳ３１１に進む。
【００８９】
（ステップＳ３０９）取得部１１５は、格納部１１１に格納されている予約情報を取得する。
【００９０】
（ステップＳ３１０）送信部１１６は、ステップＳ３０９で取得した予約情報を、認証装置１２に送信する。
【００９１】
（ステップＳ３１１）情報処理装置１１は、受付部１１４が電源ＯＦＦの指示を受け付けたか否かを判断する。受け付けた場合は、ステップＳ３１２に進み、そうでない場合は、ステップＳ３０３に戻る。
【００９２】
（ステップＳ３１２）情報処理装置１１は、電源ＯＦＦの処理を行う。そして、ステップＳ３０１に戻る。
【００９３】
なお、図３のフローチャートにおいて、電源オフや処理終了の割り込みにより処理を終了してもよい。
【００９４】
次に、認証装置１２の全体動作について、図４のフローチャートを用いて説明する。
【００９５】
（ステップＳ４０１）認証部１２３は、認証受信部１２２が、情報処理装置１１から予約情報を受信したか否かを判断する。受信した場合は、ステップＳ４０２に進み、そうでない場合は、ステップＳ４０１に戻る。
【００９６】
（ステップＳ４０２）認証部１２３は、認証の結果を示す情報である認証フラグに、ｆａｌｓｅをセットする。
【００９７】
（ステップＳ４０３）認証部１２３は、認証情報格納部１２１に認証情報が格納されているか否かを判断する。格納されている場合は、ステップＳ４０４に進み、そうでない場合は、ステップＳ４０８に進む。
【００９８】
（ステップＳ４０４）認証部１２３は、ステップＳ４０１で受信した予約情報が、認証情報格納部１２１に格納されている認証情報と一致するか否かを判断する。一致する場合は、ステップＳ４０５に進み、そうでない場合は、ステップＳ４０８に進む。
【００９９】
（ステップＳ４０５）認証部１２３は、現在時刻情報を取得する。
【０１００】
（ステップＳ４０６）認証部１２３は、ステップＳ４０５で取得した現在時刻情報が示す現在時刻が、ステップＳ４０１で受信した予約情報が有するレンタル時間帯情報により示される時間帯に含まれるか否かを判断する。含まれる場合は、ステップＳ４０７に進み、そうでない場合は、ステップＳ４０８に進む。
【０１０１】
（ステップＳ４０７）認証部１２３は、認証フラグにｔｒｕｅをセットする。
【０１０２】
（ステップＳ４０８）制御部１２４は、認証フラグがｔｒｕｅであるか否かを判断する。ｔｒｕｅである場合は、ステップＳ４０９に進み、そうでない場合は、ステップＳ４０１に戻る。
【０１０３】
（ステップＳ４０９）制御部１２４は、認証装置１２が設置されているレンタル対象物を有効にする。有効にするとは、使用可能な状態にすることである。
【０１０４】
なお、図４のフローチャートにおいて、電源オフや処理終了の割り込みにより処理を終了してもよい。
【０１０５】
次に、サーバ装置１３の全体動作について、図５のフローチャートを用いて説明する。なお、図５のフローチャートにおいて、サーバ格納部１３１には、装置識別情報が格納されているものとする。
【０１０６】
（ステップＳ５０１）サーバ送信部１３３は、サーバ受信部１３２が、外部の装置から予約情報を受信したか否かを判断する。受信した場合は、ステップＳ５０２に進み、そうでない場合は、ステップＳ５０１に戻る。
【０１０７】
（ステップＳ５０２）サーバ送信部１３３は、ステップＳ５０１で受信した予約情報を、サーバ格納部１３１に格納されている装置識別情報により識別される情報処理装置１１に送信する。そして、ステップＳ５０１に戻る。
【０１０８】
なお、図５のフローチャートにおいて、電源オフや処理終了の割り込みにより処理を終了してもよい。
【０１０９】
なお、上記で説明した情報システム１の全体動作は、あくまで一例である。つまり、情報システム１の全体動作は、上記の説明に限定されるものではない。
【０１１０】
（具体例）
次に、情報システム１の動作の具体例について説明する。なお、本具体例において、情報処理装置１１は、スマートフォン（以下、適宜、スマホとする）であるものとする。また、認証装置１２は、レンタル対象物に設置されているコンピュータ（以下、適宜、車載コンピュータとする）であるものとする。また、レンタル対象物は、レンタカー（自動車）であるものとする。また、サーバ装置１３は、レンタカーの予約サイトを運用するサーバ（以下、適宜、サーバとする）であるものとする。
【０１１１】
まず、ユーザが、自宅で、パソコンを用いて、レンタカーの予約サイトにアクセスしたとする。そして、ユーザが、当該サイトに、所持しているユーザ名、パスワードにてログインしたとする。そして、ユーザが、レンタカー（車種）のリストの中から、予約したいレンタカーを選択し、また、レンタルする時間帯のリストの中から、予約したい時間帯を選択したとする。そして、ユーザが、当該入力した内容にて、レンタカーを予約するための操作を行ったとする。すると、サーバが備えるサーバ受信部１３２は、当該パソコンから、ユーザが選択したレンタカーを識別するレンタル対象物識別情報と、ユーザが選択した時間帯を示すレンタル時間帯情報と、ユーザが入力したユーザ名であるユーザ識別情報とを有する予約情報を受信する。
【０１１２】
次に、サーバが備えるサーバ送信部１３３は、受信した予約情報を、ユーザが所持しているスマホに送信する。このとき、サーバ格納部１３１には、例えば、図６に示すユーザ管理情報が格納されている。当該ユーザ管理情報は、レコードを一意に特定するためのＩＤと、ユーザ名と、ＩＰアドレスとを有する。当該ユーザ名は、ユーザ識別情報である。また、当該ＩＰアドレスは、装置識別情報である。そして、サーバ送信部１３３は、受信した予約情報が有するユーザ名に対応するＩＰアドレスを、図６のユーザ管理情報の中から取得する。そして、サーバ送信部１３３は、当該取得したＩＰアドレスを用いて、当該ＩＰアドレスにより識別されるスマホに、予約情報を送信する。ここで、予約情報が有するユーザ名が、例えば、「Ｕｓｅｒ００２」であるとすると、サーバ送信部１３３は、図６の「ＩＤ＝０１２」のＩＰアドレス「３４．３４．１３０．２」を取得する。そして、サーバ送信部１３３は、当該ＩＰアドレス「３４．３４．１３０．２」を用いて、当該ＩＰアドレスにより識別されるスマホに、予約情報を送信する。また、サーバ送信部１３３は、受信した予約情報から、ユーザ名を削除し、当該削除後の予約情報を送信する。
【０１１３】
また、サーバが備えるサーバ送信部１３３は、受信した予約情報を、認証情報として車載コンピュータに送信する。当該車載コンピュータは、当該予約情報が有するレンタル対象物識別情報により識別されるレンタカーに設置されている車載コンピュータである。このとき、サーバ格納部１３１には、例えば、図７に示すレンタカー管理情報が格納されている。当該レンタカー管理情報は、レコードを一意に特定するためのＩＤと、レンタカーＩＤと、ＩＰアドレスとを有する。当該レンタカーＩＤは、レンタル対象物識別情報である。また、当該ＩＰアドレスは、認証装置識別情報である。そして、サーバ送信部１３３は、受信した予約情報が有するレンタル対象物識別情報（レンタカーＩＤ）に対応するＩＰアドレスを、図７のレンタカー管理情報の中から取得する。そして、サーバ送信部１３３は、当該取得したＩＰアドレスを用いて、当該ＩＰアドレスにより識別される車載コンピュータに、予約情報を送信する。ここで、予約情報が有するレンタル対象物識別情報（レンタカーＩＤ）が、例えば、「Ｃａｒ００５」であるとすると、サーバ送信部１３３は、図７の「ＩＤ＝０１５」のＩＰアドレス「３４．３５．１２９．５」を取得する。そして、サーバ送信部１３３は、当該ＩＰアドレス「３４．３５．１２９．５」を用いて、当該ＩＰアドレスにより識別される車載コンピュータに、予約情報を認証情報として送信する。また、サーバ送信部１３３は、受信した予約情報から、ユーザ名を削除し、当該削除後の予約情報を、認証情報として車載コンピュータに送信する。
【０１１４】
次に、スマホが備える受信部１１２は、サーバ装置１３から送信された予約情報を受信する。そして、蓄積部１１３は、当該予約情報を、格納部１１１に蓄積する。
【０１１５】
また、車載コンピュータが備える認証受信部１２２は、サーバ装置１３から送信された認証情報を受信する。そして、図示しない認証蓄積部は、当該認証情報を、認証情報格納部１２１に蓄積する。
【０１１６】
次に、ユーザが、予約情報が保存されているスマホを所持し、予約したレンタカーを取り扱っている店舗を訪れたとする。そして、ユーザが、予約していたレンタカーに近づいたとする。すると、スマホと、当該レンタカーに設置されている車載コンピュータとは、通信を確立させる。そして、スマホが備える取得部１１５は、当該通信の確立に応じて、予約情報の送信指示を受け付ける画面を表示する。当該画面は、例えば、図８である。
【０１１７】
次に、ユーザが、図８の画面における「ＯＫ」ボタンをタップしたとする。すると、スマホが備える受付部１１４は、送信指示を受け付ける。そして、取得部１１５は、当該送信指示の受け付けに応じて、格納部１１１に格納されている予約情報を取得する。そして、送信部１１６は、当該取得された予約情報を、通信が確立された車載コンピュータに送信する。
【０１１８】
次に、車載コンピュータが備える認証受信部１２２は、通信が確立されたスマホから予約情報を受信する。
【０１１９】
次に、認証部１２３は、認証情報格納部１２１に格納されている認証情報を用いて、認証受信部１２２が受信した予約情報を認証する。ここで、当該認証情報は、例えば、レンタル対象物識別情報（レンタカーＩＤ）「Ｃａｒ００５」と、レンタル時間帯情報「１０：００〜２０：００」とを有するとする。また、当該予約情報は、例えば、レンタル対象物識別情報（レンタカーＩＤ）「Ｃａｒ００５」と、レンタル時間帯情報「１０：００〜２０：００」とを有するとする。すると、認証部１２３は、受信した予約情報が、格納されている認証情報と一致すると判断する。
【０１２０】
また、認証部１２３は、現在時刻情報を取得する。ここで、当該現在時刻情報は、「１０：０５」であるとする。すると、認証部１２３は、現在時刻が、予約情報が有するレンタル時間帯情報が示す時間帯に含まれると判断する。
【０１２１】
次に、制御部１２４は、上記の認証部１２３による判断の結果に応じて、レンタカーのドアのロックを解除する。
【０１２２】
以上、本実施の形態による情報システム１によれば、レンタルの対象物をレンタルする際の人手の処理の煩雑さを解消することができる。これにより、ユーザは、スムーズにレンタル対象物をレンタルすることができる。
【０１２３】
なお、本実施の形態において、情報処理装置１１は、例えば、期限判断部１１７と、出力部１１８とを備えていてもよい。
【０１２４】
期限判断部１１７は、例えば、まず、現在時刻を示す情報である現在時刻情報を取得する。そして、期限判断部１１７は、取得した現在時刻情報が示す現在時刻と、レンタル時間帯情報が示す時間帯の始期または終期とに関する判断を行う。レンタル時間帯情報が示す時間帯の始期とは、レンタル時間帯情報により示されるレンタルの開始時刻である。また、レンタル時間帯情報が示す時間帯の終期とは、レンタル時間帯情報により示されるレンタルの終了時刻である。また、当該レンタル時間帯情報は、格納部１１１に格納されている予約情報が有するレンタル時間帯情報である。
【０１２５】
また、出力部１１８は、期限判断部１１７による判断の結果に応じた情報を出力する。当該出力部１１８が出力する情報を、以下、適宜、注意喚起情報とする。注意喚起情報は、例えば、期限判断部１１７による判断の結果を示す情報であるとも言える。また、注意喚起情報は、例えば、文字や画像などである。また、注意喚起情報は、例えば、出力部１１８が予め保持している。また、注意喚起情報は、例えば、予め決められた記憶領域に格納されていてもよい。また、当該予め決められた記憶領域は、例えば、格納部１１１であってもよい。
【０１２６】
また、期限判断部１１７が行う判断、および、当該判断の結果に応じて出力部１１８が出力する注意喚起情報は、例えば、以下のとおりである。
【０１２７】
（１）判断部は、現在時刻が、レンタル時間帯情報により示されるレンタルの開始時刻に、予め決められた条件を満たすほど近づいているか否かを判断する。そして、出力部１１８は、現在時刻がレンタルの開始時刻に予め決められた条件を満たすほど近づいていると判断部が判断した場合に、現在時刻がレンタルの開始時刻に予め決められた条件を満たすほど近づいていることを示す注意喚起情報を出力する。
【０１２８】
（２）判断部は、現在時刻が、レンタル時間帯情報により示されるレンタルの開始時刻を過ぎたか否かを判断する。そして、出力部１１８は、現在時刻がレンタルの開始時刻を過ぎたと判断部が判断した場合に、現在時刻がレンタル開始時刻を過ぎたことを示す注意喚起情報を出力する。
【０１２９】
（３）判断部は、現在時刻が、レンタル時間帯情報により示されるレンタルの終了時刻に、予め決められた条件を満たすほど近づいているか否かを判断する。そして、出力部１１８は、現在時刻がレンタルの終了時刻に予め決められた条件を満たすほど近づいていると判断部が判断した場合に、現在時刻がレンタルの終了時刻に予め決められた条件を満たすほど近づいていることを示す注意喚起情報を出力する。
【０１３０】
（４）判断部は、現在時刻が、レンタル時間帯情報により示されるレンタルの終了時刻を過ぎたか否かを判断する。そして、出力部１１８は、現在時刻がレンタル終了時刻を過ぎたと判断部が判断した場合に、現在時刻がレンタル終了時刻を過ぎたことを示す注意喚起情報を出力する。
【０１３１】
上記（１）〜（４）において、「予め決められた条件」とは、例えば、２つの時刻（ここでは、現在時刻と、レンタルの開始時刻または終了時刻）の差である時間が、閾値以下であることである。当該「以下」は、「未満」であってもよい。また、上記（１）〜（４）において、現在時刻が、予め決められた時刻（ここでは、レンタルの開始時刻または終了時刻）に、予め決められた条件を満たすほど近づいているか否か、または、予め決められた時刻を過ぎたか否かを判断する方法や手順などは、公知であるので、詳細な説明を省略する。
【０１３２】
また、出力部１１８は、例えば、予約情報を出力してもよい。当該予約情報は、格納部１１１に格納されている予約情報である。また、この場合、情報処理装置１１は、期限判断部１１７を備えていなくてもよい。
【０１３３】
なお、出力とは、ディスプレイへの表示、プロジェクターを用いた投影、プリンタでの印字、音出力、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【０１３４】
また、本実施の形態において、認証装置１２は、例えば、期限判断部１２５と、出力部１２６とを備えていてもよい。なお、期限判断部１２５および出力部１２６が行う処理や動作などは、上記、期限判断部１１７および出力部１１８が行う上記（１）〜（４）の処理や動作などのうち、（３）、（４）のいずれか一方または両方であること以外は、期限判断部１１７および出力部１１８が行う処理や動作などと同様であるので、説明を省略する。また、期限判断部１２５が用いるレンタル時間帯情報は、認証情報格納部１２１に格納されている認証情報が有するレンタル時間帯情報、または、認証受信部１２２が受信した予約情報が有するレンタル時間帯情報である。また、出力部１２６が出力する注意喚起情報は、例えば、出力部１２６が予め保持している。また、当該注意喚起情報は、例えば、予め決められた記憶領域に格納されていてもよい。また、当該予め決められた記憶領域は、例えば、認証情報格納部１２１であってもよい。
【０１３５】
また、出力部１２６は、例えば、認証部１２３が、認証受信部１２２が受信した予約情報が正当であると判断した場合に、当該予約情報を出力してもよい。また、この場合、認証装置１２は、期限判断部１２５を備えていなくてもよい。
【０１３６】
なお、上記、期限判断部１１７と出力部１１８とを備える情報処理装置１１を、情報処理装置２１、期限判断部１２５と出力部１２６とを備える認証装置１２を、認証装置２２とすると、情報処理装置２１、認証装置２２のブロック図は、図９である。
【０１３７】
また、上記各実施の形態において、一の装置に存在する２以上の通信手段は、物理的に一の媒体で実現されてもよいことは言うまでもない。
【０１３８】
また、上記各実施の形態において、各処理または各機能は、単一の装置または単一のシステムによって集中処理されることによって実現されてもよいし、あるいは、複数の装置または複数のシステムによって分散処理されることによって実現されてもよい。
【０１３９】
また、上記各実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１４０】
また、上記各実施の形態における情報処理装置を実現するソフトウェアは、例えば、以下のようなプログラムである。つまり、このプログラムは、レンタルの対象物であるレンタル対象物の予約に関する情報であり、レンタル対象物を識別する情報であるレンタル対象物識別情報を有する情報である予約情報が格納される格納部にアクセス可能なコンピュータを、レンタル対象物に設置されている装置であり、予約情報を受信した場合に、当該予約情報を認証し、当該予約情報が正当である場合に、設置されているレンタル対象物を使用可能な状態にする装置である認証装置に、前記予約情報を送信する送信部として機能させるためのプログラムである。
【０１４１】
また、上記各実施の形態における認証装置を実現するソフトウェアは、例えば、以下のようなプログラムである。つまり、このプログラムは、レンタル対象物識別情報を有する情報である認証情報が格納される認証情報格納部にアクセス可能なコンピュータを、レンタル対象物識別情報を有する情報である予約情報を受信する認証受信部、前記認証情報を用いて、前記認証受信部が受信した予約情報を認証する認証部、前記認証の結果、前記予約情報が正当である場合にのみ、レンタル対象物を使用可能な状態にする制御部として機能させるためのプログラムである。
【０１４２】
また、上記各実施の形態におけるサーバ装置を実現するソフトウェアは、例えば、以下のようなプログラムである。つまり、このプログラムは、情報処理装置を識別する情報である１または２以上の装置識別情報が格納されるサーバ格納部にアクセス可能なコンピュータを、レンタル対象物識別情報を有する情報である予約情報を受信するサーバ受信部、前記サーバ受信部が受信した予約情報を、前記１または２以上の装置識別情報のうち、当該予約情報に対応する装置識別情報により識別される情報処理装置に送信するサーバ送信部として機能させるためのプログラムである。
【０１４３】
なお、上記プログラムにおいて、上記プログラムが実現する機能には、ハードウェアでしか実現できない機能は含まれない。
【０１４４】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１４５】
また、上記プログラムを実行するコンピュータは、単数であってもよいし、複数であってもよい。つまり、集中処理を行ってもよいし、あるいは分散処理を行ってもよい。
【０１４６】
また、図９は、前述のプログラムを実行して、前述の実施の形態の情報処理装置等を実現するコンピュータシステム９の概観図である。前述の実施の形態は、コンピュータハードウェア、およびその上で実行されるコンピュータプログラムで実現され得る。
【０１４７】
図９において、コンピュータシステム９は、ＣＤ−ＲＯＭドライブ９０１１を含むコンピュータ９０１と、キーボード９０２と、マウス９０３と、モニタ９０４とを備える。
【０１４８】
図１０は、コンピュータシステム９のブロック図である。図１０において、コンピュータ９０１は、ＣＤ−ＲＯＭドライブ９０１１に加えて、ＭＰＵ９０１２と、ブートアッププログラム等のプログラムを記憶するためのＲＯＭ９０１３と、ＭＰＵ９０１２に接続され、アプリケーションプログラムの命令を一時的に記憶するとともに一時記憶空間を提供するためのＲＡＭ９０１４と、アプリケーションプログラム、システムプログラム、およびデータを記憶するためのハードディスク９０１５と、ＣＤ−ＲＯＭドライブ９０１１、ＭＰＵ９０１２等を相互に接続するバス９０１６とを備える。ここでは図示しないが、コンピュータ９０１は、さらに、ＬＡＮへの接続を提供するネットワークカードを備えていてもよい。
【０１４９】
コンピュータシステム９に、前述の実施の形態の情報処理装置等の機能を実行させるプログラムは、ＣＤ−ＲＯＭ９１０１に記憶されて、ＣＤ−ＲＯＭドライブ９０１１に挿入され、さらにハードディスク９０１５に転送されてもよい。これに代えて、プログラムは、図示しないネットワークを介してコンピュータ９０１に送信され、ハードディスク９０１５に記憶されてもよい。プログラムは実行の際にＲＡＭ９０１４にロードされる。プログラムは、ＣＤ−ＲＯＭ９１０１またはネットワークから直接、ロードされてもよい。
【０１５０】
プログラムは、コンピュータ９０１に、前述の実施の形態の情報処理装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１５１】
また、本発明は、以上の実施の形態に限定されることなく、種々の変更が可能であり、それらも本発明の範囲内に包含されるものであることは言うまでもない。
【産業上の利用可能性】
【０１５２】
以上のように、本発明にかかる情報処理装置は、レンタルの対象物をレンタルする際の人手の処理の煩雑さを解消することができるという効果を有し、レンタカーやカーシェアリング用の自動車など、レンタル対象物の貸出管理システム等として有用である。
【符号の説明】
【０１５３】
１  情報システム
１１  情報処理装置
１２  認証装置
１３  サーバ装置
１１１  格納部
１１２  受信部
１１３  蓄積部
１１４  受付部
１１５  取得部
１１６  送信部
１２１  認証情報格納部
１２２  認証受信部
１２３  認証部
１２４  制御部
１３１  サーバ格納部
１３２  サーバ受信部
１３３  サーバ送信部
【図１】
2016170556.tif 000003
【図２】
2016170556.tif 000004
【図３】
2016170556.tif 000005
【図４】
2016170556.tif 000006
【図５】
2016170556.tif 000007
【図６】
2016170556.tif 000008
【図７】
2016170556.tif 000009
【図８】
2016170556.tif 000010
【図９】
2016170556.tif 000011
【図１０】
2016170556.tif 000012
【図１１】
2016170556.tif 000013